(57)【要約】【課題】、無線接続された複数の無線機器の接続状態を実際のレイアウトと関連づけて表示する。【解決手段】ユーザによって入力されたレイアウト情報及び無線機器情報を用いて、表示装置の表示画面上に無線機器の設置場所のレイアウト画像及び該レイアウト画像上に１又は複数の無線機器のアイコン１１、２１〜２６、３１〜３３を表示する。表示画面上に表示された１又は複数の無線機器のアイコンのうち、実際に信号の送受信が行われた無線機器に対応するアイコン同士（１１−２１−２３−３１−３２、１１−２２−２５、１１−２２−２４−３３）を、無線接続されていることを示す所定の第１状態（例えばアイコン同士を線で結ぶ）で表示し、信号の送受信が行われなかった無線機器に対応するアイコン２６を、無線接続されていないことを示す所定の第２状態（例えばアイコンを孤立させる）で表示する。【選択図】図６
2011114415.tif 000002
【特許請求の範囲】
【請求項１】
ユーザによって入力された無線機器の設置場所のレイアウト情報を記憶するレイアウト情報記憶部と、
ユーザによって入力された１又は複数の無線機器に関する種類及び識別コードを含む無線機器情報を記憶する機器情報記憶部と、
表示画面を有する表示装置と
前記レイアウト情報及び前記無線機器情報を用いて、前記表示画面上に無線機器の設置場所のレイアウト画像及び該レイアウト画像上に１又は複数の無線機器のアイコンを表示する表示処理部と、
前記設置場所に実際に設置された１又は複数の無線機器との間で、電波による無線通信を介して信号の送受信を行う無線通信部と、
前記機器情報記憶部に記憶された識別コード情報と、前記無線通信部により実際に信号の送受信が行われた無線機器の識別コードとを比較し、前記実際に設置された１又は複数の無線機器の無線接続状態を判断する機器接続状態判断部を備え、
前記表示処理部は、前記機器接続状態判断部による判断結果に応じて、前記表示画面上に表示された１又は複数の無線機器のアイコンのうち、前記無線通信部により実際に信号の送受信が行われた無線機器に対応するアイコン同士を、無線接続されていることを示す所定の第１状態で表示し、前記表示画面上に表示された１又は複数の無線機器のアイコンのうち、前記無線通信部により信号の送受信が行われなかった無線機器に対応するアイコンを、無線接続されていないことを示す所定の第２状態で表示することを特徴とする無線機器接続状態表示装置。
【請求項２】
前記表示画面は、前記レイアウト画像及び前記無線通信部により実際に信号の送受信が行われた無線機器に対応するアイコンを表示するための第１表示領域と、前記無線通信部により信号の送受信が行われなかった無線機器に対応するアイコンを表示するための第２表示領域を有することを特徴とする請求項１に記載の無線機器接続状態表示装置。
【請求項３】
前記実際に設置された１又は複数の無線機器は、他の機器と有線接続可能であり、
前記機器情報記憶部は、ユーザによって入力された他の機器に関する種類及び識別コードを含む有線機器情報を記憶し、
前記無線通信部により実際に信号の送受信が行われた無線機器にさらに他の機器が有線接続されている場合、該無線機器は、接続されている他の機器に関する識別コード情報と有線接続情報を前記無線通信部に送信し、
前記表示処理部は、前記有線機器情報を用いて、前記表示画面上の前記レイアウト画像上に前記実際に信号の送受信が行われた無線機器に接続されている他の機器のアイコンを表示すると共に、前記実際に信号の送受信が行われた無線機器と該他の機器を、有線接続されていることを示す第３状態で表示することを特徴とする請求項１に記載の無線機器接続状態表示装置。
【請求項４】
前記表示画面は、前記レイアウト画像、前記無線通信部により実際に信号の送受信が行われた無線機器に対応するアイコン及び前記実際に信号の送受信が行われた無線機器に接続されている他の機器のアイコンを表示するための第１表示領域と、前記無線通信部により信号の送受信が行われなかった無線機器に対応するアイコンを表示するための第２表示領域を有することを特徴とする請求項３に記載の無線機器接続状態表示装置。
【請求項５】
前記表示画面の前記第２表示領域に表示された前記無線通信部により信号の送受信が行われなかった無線機器に対応するアイコンは、ユーザによる操作に応じて、前記第１表示領域の任意の位置に移動させて表示することが可能であることを特徴とする請求項２又は請求項４に記載の無線機器接続状態表示装置。
【請求項６】
前記無線通信部により実際に信号の送受信が行われた無線機器に対応するアイコンは、前記表示処理部によって前記第１表示領域に表示される際、前記レイアウトにおける実際の位置とは異なる位置に対応する前記レイアウト画像上の位置に表示され、
ユーザによる操作に応じて、ユーザによって選択されたいずれかのアイコンを前記第１表示領域の任意の位置に移動させて表示することが可能であることを特徴とする請求項２、請求項４又は請求項５に記載の無線機器接続状態表示装置。
【請求項７】
前記表示画面に表示されている画像を任意の時点で記憶するための機器接続状態記憶部をさらに備えたことを特徴とする請求項１乃至請求項６のいずれか一項に記載の無線機器接続状態表示装置。
【請求項８】
前記機器接続状態判断部による判断結果に応じて、前記無線通信部により実際に信号の送受信が行われた無線機器の無線接続状態及び前記無線通信部により信号の送受信が行われなかった無線機器を、一覧表として前記表示装置の表示画面上に表示するための表作成部をさらに備え、
前記表示処理部は、ユーザの操作に応じて、前記レイアウト画像及びそのレイアウト画像上に表示された１又は複数のアイコンと、前記一覧表を選択的に前記表示画面上に表示することを特徴とする請求項１に記載の無線機器接続状態表示装置。
【請求項９】
前記機器接続状態判断部による判断結果に応じて、前記無線通信部により実際に信号の送受信が行われた無線機器の無線接続状態、前記実際に信号の送受信が行われた無線機器に接続されている他の機器及び前記無線通信部により信号の送受信が行われなかった無線機器を、一覧表として前記表示処理部の表示画面上に表示するための表作成部をさらに備え、
前記表示処理部は、ユーザの操作に応じて、前記レイアウト画像及びそのレイアウト画像上に表示された１又は複数のアイコンと、前記一覧表を選択的に前記表示画面上に表示することを特徴とする請求項３に記載の無線機器接続状態表示装置。
【請求項１０】
前記表示処理部は、前記表示画面に目盛りを表示することを特徴とする請求項１乃至請求項９のいずれか一項に記載の無線機器接続状態表示装置。
【請求項１１】
前記表示処理部は、前記表示画面に縮尺比を表示することを特徴とする請求項１乃至請求項９のいずれか一項に記載の無線機器接続状態表示装置。
【請求項１２】
前記表示処理部は、前記表示画面に、前記表示画面上の任意の点を中心とする等間隔の同心円を表示することを特徴とする請求項１乃至請求項９のいずれか一項に記載の無線機器接続状態表示装置。
【請求項１３】
前記実際に設置された１又は複数の無線機器は、複数のチャンネルで信号の送受信が可能であり、且つ、前記複数のチャンネルごとの電波強度を測定し、測定したチャンネルごとの電波強度の値を前記無線通信部に送信可能であり、
前記表作成部は、実際に信号の送受信が行われた無線機器ごとに、前記複数のチャンネルごとの電波強度を示すグラフを作成し、
前記表示処理部は、ユーザの操作に応じて、前記レイアウト画像及びそのレイアウト画像上に表示された１又は複数のアイコンと、前記グラフを選択的に前記表示画面上に表示することを特徴とする請求項８又は請求項９に記載の無線機器接続状態表示装置。
【請求項１４】
コンピュータ装置にインストールされ、実行されることによって無線機器の接続状態を確認するための無線機器接続支援プログラムであって、
ユーザに無線機器の設置場所のレイアウト情報を入力させるための画像を表示装置の表示画面上に表示させるステップと、
ユーザによって入力された無線機器の設置場所のレイアウト情報を記憶装置に記憶させるステップと、
ユーザに前記無線機器の設置場所に設置されている１又は複数の無線機器に関する種類及び識別コードを含む無線機器情報を入力させるための画像を前記表示装置の表示画面上に表示させるステップと、
ユーザによって入力された１又は複数の無線機器に関する種類及び識別コードを含む無線機器情報を前記記憶装置に記憶させるステップと、
前記記憶装置に記憶されている前記レイアウト情報及び前記無線機器情報を用いて、前記表示画面上に無線機器の設置場所のレイアウト画像及び該レイアウト画像上に１又は複数の無線機器のアイコンを表示させるステップと、
無線通信装置に対して、前記無線機器の設置場所に設置されている前記１又は複数の無線機器に対して、電波による無線通信を介して信号の送受信を行わせるステップと、
前記記憶装置に記憶された識別コード情報と、前記無線通信部により実際に信号の送受信が行われた無線機器の識別コードとを比較し、前記実際に設置された１又は複数の無線機器の無線接続状態を判断するステップと、
前記実際に設置された１又は複数の無線機器の無線接続状態の判断結果に応じて、前記表示画面上に表示された１又は複数の無線機器のアイコンのうち、前記無線通信部により実際に信号の送受信が行われた無線機器に対応するアイコン同士を、無線接続されていることを示す所定の第１状態で表示し、前記表示画面上に表示された１又は複数の無線機器のアイコンのうち、前記無線通信部により信号の送受信が行われなかった無線機器に対応するアイコンを、無線接続されていないことを示す所定の第２状態で表示するステップを備えたことを特徴とする無線機器接続支援プログラム。
【請求項１５】
前記レイアウト画像及び１又は複数の無線機器のアイコンを表示させるステップは、前記表示画面を第１表示領域と第２表示領域に分割し、前記レイアウト画像及び前記無線通信部により実際に信号の送受信が行われた無線機器に対応するアイコンを前記第１表示領域に表示すると共に、前記無線通信部により信号の送受信が行われなかった無線機器に対応するアイコンを前記第２表示領域に表示することを特徴とする請求項１４に記載の無線機器接続支援プログラム。
【請求項１６】
ユーザによる操作に応じて、前記表示画面の前記第２表示領域に表示された前記無線通信部により信号の送受信が行われなかった無線機器に対応するアイコンを、前記第１表示領域の任意の位置に移動させて表示するステップをさらに備えたことを特徴とする請求項１５に記載の無線機器接続支援プログラム。
【請求項１７】
前記無線通信部により実際に信号の送受信が行われた無線機器に対応するアイコンを前記第１表示領域に表示する際、前記レイアウトにおける実際の位置とは異なる位置に対応する前記レイアウト画像上の位置に表示し、
ユーザによる操作に応じて、ユーザによって選択されたいずれかのアイコンを前記第１表示領域の任意の位置に移動させて表示するステップをさらに備えたことを特徴とする請求項１５又は請求項１６に記載の無線機器接続支援プログラム。
【請求項１８】
前記実際に信号の送受信が行われた無線機器の無線接続状態及び前記無線通信部により信号の送受信が行われなかった無線機器を、一覧表として作成するための表作成ステップと、
ユーザの操作に応じて、前記レイアウト画像及びそのレイアウト画像上に表示された１又は複数のアイコンと、前記一覧表を選択的に前記表示画面上に表示するステップをさらに備えたことを特徴とする請求項１４乃至請求項１７のいずれか一項に記載の無線機器接続支援プログラム。
【請求項１９】
前記実際に設置された１又は複数の無線機器が、複数のチャンネルで信号の送受信が可能であり、且つ、前記複数のチャンネルごとの電波強度を測定し、測定したチャンネルごとの電波強度の値を前記無線通信装置に送信可能である場合において、
実際に信号の送受信が行われた無線機器ごとに、前記複数のチャンネルごとの電波強度を示すグラフを作成するステップと、
ユーザの操作に応じて、前記レイアウト画像及びそのレイアウト画像上に表示された１又は複数のアイコンと、前記グラフを選択的に前記表示画面上に表示するステップをさらに備えたことを特徴とする請求項１４乃至請求項１８のいずれか一項に記載の無線機器接続支援プログラム。
【発明の詳細な説明】
【技術分野】
【０００１】
本発明は、無線ネットワークを介して接続された複数の無線機器の接続状態を、実際の無線機器のレイアウトと関連づけて表示する無線機器接続状態表示装置、及び実際に無線機器を配置する際に、電波環境に応じて無線機器や無線中継装置などの配置場所を容易に決定しうるための無線機器接続支援プログラムに関する。
【背景技術】
【０００２】
従来から、家庭内、事務所、工場など様々な場所において、複数の機器間でのデータや制御信号などの信号の送受信を行うために、電波による無線通信が用いられている。こうした電波による信号の送受信は、機器間の距離、機器間に存在する障害物、周辺の機器から発生される電磁波ノイズなどの影響を受けるので、２つの機器間で確実に信号の送受信が行われるか否かは、実際に機器を設置してみるまで分からないのが実情である。そして、仮に、２つの機器間で信号の送受信を行うことができないときは、試行錯誤を繰り返しながら機器の配置を変更するか、あるいは、適当な場所に無線中継装置を設置したりすることが行われている。
【０００３】
そこで、特許文献１には、模擬の無線端末装置と操作装置を用いて、実際に無線機器を配置する前に、設置予定場所の電波環境、例えば伝送路での損失率、スループット、通信エラーの発生頻度などを評価する技術が開示されている。このように、事前に電波環境を評価しておけば、試行錯誤を繰り返しながら機器の配置を変更する場合に比べて効率良く機器の配置場所を決定することができるが、無線機器のレイアウトと関連づけて無線機器の接続状態を把握するのは困難である。また、実際に設置される無線機器とは別に模擬の無線端末装置と操作装置を用意し、それを用いて事前に電波環境を評価する必要があるため、無線機器の新設やレイアウト変更などに即座に対応することができないという問題点を有している。
【０００４】
一方、特許文献２には、無線ネットワーク自動設計システムにおいて、機器の地理的情報を含めて表示することが開示されている。しかしながら、このシステムは、無線機器を設置する前の机上での設計に関するものであり、実際に無線機器が設置される場所のレイアウト、すなわち電波環境に影響を及ぼす可能性のあるレイアウト情報は含まれておらず、また、実際の無線機器の接続状態を把握することはできないという問題点を有している。
【先行技術文献】
【特許文献】
【０００５】
【特許文献１】特開２００８−２２８１８６号公報
【特許文献２】特開２００９−１１１９７６号公報
【発明の概要】
【発明が解決しようとする課題】
【０００６】
本発明は、上記従来例の問題を解決するためになされたものであり、無線ネットワークを介して接続された複数の無線機器の接続状態を、実際の無線機器のレイアウトと関連づけて表示する無線機器接続状態表示装置、及び実際に無線機器を配置する際に、無線機器の接続状態を確認し、必要に応じて電波環境に応じて無線機器や無線中継装置などの配置場所を容易に決定しうるための無線機器接続支援プログラムを提供することを目的とする。
【課題を解決するための手段】
【０００７】
上記目的を達成するために請求項１の発明は、無線機器接続状態表示装置であって、ユーザによって入力された無線機器の設置場所のレイアウト情報を記憶するレイアウト情報記憶部と、ユーザによって入力された１又は複数の無線機器に関する種類及び識別コードを含む無線機器情報を記憶する機器情報記憶部と、表示画面を有する表示装置と、前記レイアウト情報及び前記無線機器情報を用いて、前記表示画面上に無線機器の設置場所のレイアウト画像及び該レイアウト画像上に１又は複数の無線機器のアイコンを表示する表示処理部と、前記設置場所に実際に設置された１又は複数の無線機器との間で、電波による無線通信を介して信号の送受信を行う無線通信部と、前記機器情報記憶部に記憶された識別コード情報と、前記無線通信部により実際に信号の送受信が行われた無線機器の識別コードとを比較し、前記実際に設置された１又は複数の無線機器の無線接続状態を判断する機器接続状態判断部を備え、前記表示処理部は、前記機器接続状態判断部による判断結果に応じて、前記表示画面上に表示された１又は複数の無線機器のアイコンのうち、前記無線通信部により実際に信号の送受信が行われた無線機器に対応するアイコン同士を、無線接続されていることを示す所定の第１状態で表示し、前記表示画面上に表示された１又は複数の無線機器のアイコンのうち、前記無線通信部により信号の送受信が行われなかった無線機器に対応するアイコンを、無線接続されていないことを示す所定の第２状態で表示することを特徴とする。
【０００８】
請求項２の発明は、請求項１に記載の無線機器接続状態表示装置において、前記表示画面は、前記レイアウト画像及び前記無線通信部により実際に信号の送受信が行われた無線機器に対応するアイコンを表示するための第１表示領域と、前記無線通信部により信号の送受信が行われなかった無線機器に対応するアイコンを表示するための第２表示領域を有することを特徴とする。
【０００９】
請求項３の発明は、請求項１に記載の無線機器接続状態表示装置において、前記実際に設置された１又は複数の無線機器は、他の機器と有線接続可能であり、前記機器情報記憶部は、ユーザによって入力された他の機器に関する種類及び識別コードを含む有線機器情報を記憶し、前記無線通信部により実際に信号の送受信が行われた無線機器にさらに他の機器が有線接続されている場合、該無線機器は、接続されている他の機器に関する識別コード情報と有線接続情報を前記無線通信部に送信し、前記表示処理部は、前記有線機器情報を用いて、前記表示画面上の前記レイアウト画像上に前記実際に信号の送受信が行われた無線機器に接続されている他の機器のアイコンを表示すると共に、前記実際に信号の送受信が行われた無線機器と該他の機器を、有線接続されていることを示す第３状態で表示することを特徴とする。
【００１０】
請求項４の発明は、請求項３に記載の無線機器接続状態表示装置において、前記表示画面は、前記レイアウト画像、前記無線通信部により実際に信号の送受信が行われた無線機器に対応するアイコン及び前記実際に信号の送受信が行われた無線機器に接続されている他の機器のアイコンを表示するための第１表示領域と、前記無線通信部により信号の送受信が行われなかった無線機器に対応するアイコンを表示するための第２表示領域を有することを特徴とする。
【００１１】
請求項５の発明は、請求項２又は請求項４に記載の無線機器接続状態表示装置において、前記表示画面の前記第２表示領域に表示された前記無線通信部により信号の送受信が行われなかった無線機器に対応するアイコンは、ユーザによる操作に応じて、前記第１表示領域の任意の位置に移動させて表示することが可能であることを特徴とする。
【００１２】
請求項６の発明は、請求項２、請求項４又は請求項５に記載の無線機器接続状態表示装置において、前記無線通信部により実際に信号の送受信が行われた無線機器に対応するアイコンは、前記表示処理部によって前記第１表示領域に表示される際、前記レイアウトにおける実際の位置とは異なる位置に対応する前記レイアウト画像上の位置に表示され、ユーザによる操作に応じて、ユーザによって選択されたいずれかのアイコンを前記第１表示領域の任意の位置に移動させて表示することが可能であることを特徴とする。
【００１３】
請求項７の発明は、請求項１乃至請求項６のいずれか一項に記載の無線機器接続状態表示装置において、前記表示画面に表示されている画像を任意の時点で記憶するための機器接続状態記憶部をさらに備えたことを特徴とする。
【００１４】
請求項８の発明は、請求項１に記載の無線機器接続状態表示装置において、前記機器接続状態判断部による判断結果に応じて、前記無線通信部により実際に信号の送受信が行われた無線機器の無線接続状態及び前記無線通信部により信号の送受信が行われなかった無線機器を、一覧表として前記表示装置の表示画面上に表示するための表作成部をさらに備え、前記表示処理部は、ユーザの操作に応じて、前記レイアウト画像及びそのレイアウト画像上に表示された１又は複数のアイコンと、前記一覧表を選択的に前記表示画面上に表示することを特徴とする。
【００１５】
請求項９の発明は、請求項３に記載の無線機器接続状態表示装置において、前記機器接続状態判断部による判断結果に応じて、前記無線通信部により実際に信号の送受信が行われた無線機器の無線接続状態、前記実際に信号の送受信が行われた無線機器に接続されている他の機器及び前記無線通信部により信号の送受信が行われなかった無線機器を、一覧表として前記表示処理部の表示画面上に表示するための表作成部をさらに備え、前記表示処理部は、ユーザの操作に応じて、前記レイアウト画像及びそのレイアウト画像上に表示された１又は複数のアイコンと、前記一覧表を選択的に前記表示画面上に表示することを特徴とする。
【００１６】
請求項１０の発明は、請求項１乃至請求項９のいずれか一項に記載の無線機器接続状態表示装置において、前記表示処理部は、前記表示画面に目盛りを表示することを特徴とする。
【００１７】
請求項１１の発明は、請求項１乃至請求項９のいずれか一項に記載の無線機器接続状態表示装置において、前記表示処理部は、前記表示画面に縮尺比を表示することを特徴とする。
【００１８】
請求項１２の発明は、請求項１乃至請求項９のいずれか一項に記載の無線機器接続状態表示装置において、前記表示処理部は、前記表示画面に、前記表示画面上の任意の点を中心とする等間隔の同心円を表示することを特徴とする。
【００１９】
請求項１３の発明は、請求項８又は請求項９に記載の無線機器接続状態表示装置において、前記実際に設置された１又は複数の無線機器は、複数のチャンネルで信号の送受信が可能であり、且つ、前記複数のチャンネルごとの電波強度を測定し、測定したチャンネルごとの電波強度の値を前記無線通信部に送信可能であり、前記表作成部は、実際に信号の送受信が行われた無線機器ごとに、前記複数のチャンネルごとの電波強度を示すグラフを作成し、前記表示処理部は、ユーザの操作に応じて、前記レイアウト画像及びそのレイアウト画像上に表示された１又は複数のアイコンと、前記グラフを選択的に前記表示画面上に表示することを特徴とする。
【００２０】
請求項１４の発明は、コンピュータ装置にインストールされ、実行されることによって無線機器の接続状態を確認するための無線機器接続支援プログラムであって、ユーザに無線機器の設置場所のレイアウト情報を入力させるための画像を表示装置の表示画面上に表示させるステップと、ユーザによって入力された無線機器の設置場所のレイアウト情報を記憶装置に記憶させるステップと、ユーザに前記無線機器の設置場所に設置されている１又は複数の無線機器に関する種類及び識別コードを含む無線機器情報を入力させるための画像を前記表示装置の表示画面上に表示させるステップと、ユーザによって入力された１又は複数の無線機器に関する種類及び識別コードを含む無線機器情報を前記記憶装置に記憶させるステップと、前記記憶装置に記憶されている前記レイアウト情報及び前記無線機器情報を用いて、前記表示画面上に無線機器の設置場所のレイアウト画像及び該レイアウト画像上に１又は複数の無線機器のアイコンを表示させるステップと、無線通信装置に対して、前記無線機器の設置場所に設置されている前記１又は複数の無線機器に対して、電波による無線通信を介して信号の送受信を行わせるステップと、前記記憶装置に記憶された識別コード情報と、前記無線通信部により実際に信号の送受信が行われた無線機器の識別コードとを比較し、前記実際に設置された１又は複数の無線機器の無線接続状態を判断するステップと、前記実際に設置された１又は複数の無線機器の無線接続状態の判断結果に応じて、前記表示画面上に表示された１又は複数の無線機器のアイコンのうち、前記無線通信部により実際に信号の送受信が行われた無線機器に対応するアイコン同士を、無線接続されていることを示す所定の第１状態で表示し、前記表示画面上に表示された１又は複数の無線機器のアイコンのうち、前記無線通信部により信号の送受信が行われなかった無線機器に対応するアイコンを、無線接続されていないことを示す所定の第２状態で表示するステップを備えたことを特徴とする。
【００２１】
請求項１５の発明は、請求項１４に記載の無線機器接続支援プログラムにおいて、前記レイアウト画像及び１又は複数の無線機器のアイコンを表示させるステップは、前記表示画面を第１表示領域と第２表示領域に分割し、前記レイアウト画像及び前記無線通信部により実際に信号の送受信が行われた無線機器に対応するアイコンを前記第１表示領域に表示すると共に、前記無線通信部により信号の送受信が行われなかった無線機器に対応するアイコンを前記第２表示領域に表示することを特徴とする。
【００２２】
請求項１６の発明は、請求項１５に記載の無線機器接続支援プログラムにおいて、ユーザによる操作に応じて、前記表示画面の前記第２表示領域に表示された前記無線通信部により信号の送受信が行われなかった無線機器に対応するアイコンを、前記第１表示領域の任意の位置に移動させて表示するステップをさらに備えたことを特徴とする。
【００２３】
請求項１７の発明は、請求項１５又は請求項１６に記載の無線機器接続支援プログラムにおいて、前記無線通信部により実際に信号の送受信が行われた無線機器に対応するアイコンを前記第１表示領域に表示する際、前記レイアウトにおける実際の位置とは異なる位置に対応する前記レイアウト画像上の位置に表示し、ユーザによる操作に応じて、ユーザによって選択されたいずれかのアイコンを前記第１表示領域の任意の位置に移動させて表示するステップをさらに備えたことを特徴とする。
【００２４】
請求項１８の発明は、請求項１４乃至請求項１７のいずれか一項に記載の無線機器接続支援プログラムにおいて、前記実際に信号の送受信が行われた無線機器の無線接続状態及び前記無線通信部により信号の送受信が行われなかった無線機器を、一覧表として作成するための表作成ステップと、ユーザの操作に応じて、前記レイアウト画像及びそのレイアウト画像上に表示された１又は複数のアイコンと、前記一覧表を選択的に前記表示画面上に表示するステップをさらに備えたことを特徴とする。
【００２５】
請求項１９の発明は、請求項１４乃至請求項１８のいずれか一項に記載の無線機器接続状態表示装置において、前記実際に設置された１又は複数の無線機器が、複数のチャンネルで信号の送受信が可能であり、且つ、前記複数のチャンネルごとの電波強度を測定し、測定したチャンネルごとの電波強度の値を前記無線通信装置に送信可能である場合において、実際に信号の送受信が行われた無線機器ごとに、前記複数のチャンネルごとの電波強度を示すグラフを作成するステップと、ユーザの操作に応じて、前記レイアウト画像及びそのレイアウト画像上に表示された１又は複数のアイコンと、前記グラフを選択的に前記表示画面上に表示するステップをさらに備えたことを特徴とする。
【発明の効果】
【００２６】
請求項１の発明によれば、例えばモニタ装置などの表示画面上に無線機器の設置場所のレイアウト画像（見取り図）と、そのレイアウト画像上に無線機器が表示され、さらに、無線通信部と実際に信号の送受信ができた無線機器がそれぞれ無線接続されていることを示す所定の第１状態で表示され、一方、無線通信部による信号の送受信が行われなかった無線機器は無線接続されていないことを示す所定の第２状態で表示されるので、実際の無線機器のレイアウトと関連づけて無線機器の接続状態を把握することができる。また、レイアウト画像には、壁や柱などの障害物や、電磁波ノイズを発生している可能性がある装置などが表示されているので、信号の送受信が行われなかった無線機器に対して、どのあたりに中継装置を設置すればよいかを容易に決定することができる。
【００２７】
第１状態と第２状態は、両者が区別されればよく、その表示方法は特に限定されない。第１状態として無線通信可能な無線機器間を線で結び、第２状態としてアイコンを孤立させるような表示方法であってもよい。あるいは、第１状態と第２状態でアイコンの表示色や表示方法（点滅・非点滅）などを変化させてもよい。また、レイアウト情報としては、スキャナで見取り図を読み込んでもよいし、ＣＡＤなどで作成した電子データを読み込んでもよい。また、無線機器のアイコンは、あらかじめレイアウト画像上に描かれていてもよいし、ユーザが表示画面上でドラッグアンドドロップして、アイコンを所定の位置に移動させてもよい。
【００２８】
請求項２又は請求項４の発明によれば、実際に信号の送受信が行われた無線機器のアイコンのみが第１表示領域においてレイアウト画像上に重ねて表示され、信号の送受信が行われなかった無線機器のアイコンは第２表示領域に取り残されるので、どの無線機器と通信できないかを一目瞭然で知ることができる。
【００２９】
請求項３の発明によれば、実際に信号の送受信が行われた無線機器に有線接続されている他の機器のアイコンも、レイアウト画像上に重ねて表示されるので、無線機器のみならず、有線機器も含めたシステム全体の接続関係を容易に把握することができる。
【００３０】
請求項５の発明によれば、上記請求項２又は請求項４の発明において第２表示領域に取り残された信号の送受信が行われなかった無線機器に対応するアイコンをレイアウト画像上の本来の位置に移動させることができる。
【００３１】
請求項６の発明によれば、無線機器接続状態表示装置によって信号の送受信が可能であることが確認できた無線機器に関しては、表示画面の第１表示領域におおよその位置で表示されるので、その後、ユーザがアイコンをドラッグアンドドロップして正しい位置に移動させることにより、あらかじめ無線機器の位置を入力しておく必要が無くなる。
【００３２】
請求項７の発明によれば、表示画面に表示されている画像を任意の時点で記憶することができるので、例えば、信号の送受信ができなかった無線機器の位置を変更したり、長径装置を設置したりする際に、変更前と変更後の接続状態や機器配置を比較することができる。
【００３３】
請求項８又は請求項９の発明によれば、無線機器の接続状態をレイアウト画像表示と一覧表示のいずれかに切り換えて表示することができるので、必要に応じてより適切な情報を提供することができる。
【００３４】
請求項１０乃至請求項１２の発明によれば、レイアウト画像上での無線機器間のおおよその距離を容易に把握することができる。それにより、無線機器の送信可能距離などを考慮に入れて、より適切な機器配置を実現することができる。
【００３５】
請求項１３の発明によれば、無線機器間で複数のチャンネルにより信号の送受信が可能である場合において、信号の送受信に際して、最適なチャンネルを選択することができる。
【００３６】
請求項１４乃至請求項１９の発明によれば、無線通信装置に接続されたパーソナルコンピュータなど既存の装置に無線機器接続支援プログラムをインストールし、実行するだけで、上記無線機器接続状態表示装置を実現することができる。
【図面の簡単な説明】
【００３７】
【図１】本発明の一実施形態に係る無線機器接続状態表示装置と無線機器との接続状態の一例を示す図。
【図２】上記無線機器接続状態表示装置の表示画面上に表示された無線機器の設置場所のレイアウト画像の第１表示例を示す図。
【図３】上記無線機器接続状態表示装置の表示画面上に表示された無線機器の接続状態の第１表示例を示す図。
【図４】上記無線機器接続状態表示装置の表示画面上に表示された無線機器の設置場所のレイアウト画像の第２表示例を示す図。
【図５】上記無線機器接続状態表示装置の表示画面上に表示された無線機器の接続状態の第２表示例を示す図。
【図６】上記無線機器接続状態表示装置の表示画面上に表示された無線機器の接続状態の第３表示例を示す図。
【図７】上記無線機器接続状態表示装置の表示画面上で信号の送受信が行われなかった無線機器と信号の送受信を行うために新たな中継装置の設置場所を検討しているときの画面を示す図。
【図８】上記無線機器接続状態表示装置のブロック構成図。
【図９】無線機器の無線接続状態を示す一覧表。
【図１０】上記無線機器接続状態表示装置の基本的動作又は本発明に係る無線機器接続支援プログラムを示すフローチャート。
【図１１】上記無線機器接続状態表示装置の表示画面の変形例を示す図。
【図１２】上記無線機器接続状態表示装置の表示画面の他の変形例を示す図。
【図１３】無線機器ごとの各チャンネルの電波強度を示すグラフ。
【発明を実施するための形態】
【００３８】
本発明の一実施形態に係る無線機器接続状態表示装置及び無線機器接続支援プログラムについて説明する。無線機器接続状態表示装置は、無線ネットワークを介して接続された複数の無線機器の接続状態を、実際の無線機器のレイアウトと関連づけて表示しうる装置であり、無線機器接続支援プログラムは、無線通信装置に接続された既存のパーソナルコンピュータなどにインストールし、実行することによって無線機器接続状態表示装置を実現しうるものである。
【００３９】
図１は、上記無線機器接続状態表示装置と電波による無線通信を介して信号の送受信を行う複数の無線機器などによる無線通信システムの構成を示している。無線機器接続状態表示装置１は、パーソナルコンピュータ１０とそれに接続された無線通信装置（無線親機）１１によって構成されている。無線機器には、他の無線機器から送信された信号を受信して、さらに他の無線機器にその受信した信号を転送するための無線中継装置２１，２２と、無線通信機能を有していない他の機器（被制御装置又は有線機器）３１〜３３と有線接続され、他の無線機器から送信された信号を受信して、その受信した信号を該他の機器３１〜３３に転送すると共に、該他の機器３１〜３３から出力された信号を無線通信によって他の無線機器に送信する無線通信装置２３，２４と、他の無線機器から送信された信号を受信して、その受信した信号に応じて何らかの機能を実行すると共に、それ自身が出力する信号を無線通信によって他の無線機器に送信する無線通信機能を有する被制御装置２５，２６などが含まれる。なお、これらの機器は、例示であり、その種類や数は特に限定されない。
【００４０】
図２は、パーソナルコンピュータ１０の表示画面上に表示された無線機器の設置場所のレイアウト画像の第１表示例を示す。このレイアウト画像は、例えばスキャナなどを介してユーザによって読み込まれた見取り図やＣＡＤなどで作成された見取り図の電子データなどのレイアウト情報を基に表示されている。この第１実施例では、あらかじめ、無線機器の位置、種類、識別コード（ＩＤ）などが特定されており、表示画面上のレイアウト画像に重ねて無線機器のアイコンが表示されている。但し、各無線機器の接続状態は不明であるので、有線接続された機器のアイコン同士が、例えば実線でつながれた状態（第３状態）で表示されている。
【００４１】
図３は、無線通信装置１１と各無線機器２１〜２６との間で実際にテスト信号を送受信した結果に基づく無線機器の接続状態の第１表示例を示す。無線通信装置１１からパーソナルコンピュータ１０に登録されている各無線機器２１〜２６に対して、順にテスト信号を送信し、無線機器２１〜２６からアンサーバックがあったか否かを確認する。最初に、中継装置２１及び２２からアンサーバックがあったとすると、無線通信装置１１は、これら中継装置２１及び２２とのみ直接的に信号の送受信が可能であり、他の無線機器２３〜２６とは直接的に信号の送受信ができないことが分かる。次に、中継装置２１を中継して、他の無線機器２３〜２６に対してテスト信号を送信する。そうすると、例えば無線通信装置２３からアンサーバックがあったとすると、無線通信装置１１、中継装置２１、無線通信装置２３の順に接続されていることが分かる。中継装置２２についても同様である。その結果、例えば無線通信装置１１は、いずれのルートをたどっても被制御装置２６とは信号の送受信ができない、すなわち接続されていないことが分かる。無線接続された無線機器のアイコン同士は、例えば破線でつながれた状態（第１状態）で表示される。また、いずれの無線機器とも接続されていない無線機器（被制御装置２６）のアイコンは、孤立した状態（第２状態）で表示される。
【００４２】
なお、第１状態、第２状態及び第３状態は、これらが区別されればよく、その表示方法は特に限定されない。上記のようにアイコンを実線や破線でつないだり、あるいは孤立させたりするほか、第１状態、第２状態及び第３状態でアイコンの表示色や表示方法（点滅・非点滅）などを変化させてもよい。
【００４３】
図４は、パーソナルコンピュータ１０の表示画面上に表示された無線機器の設置場所のレイアウト画像の第２表示例を示す。この第２表示例では、パーソナルコンピュータ１０の表示画面は、第１表示領域１０ａと第２表示領域１０ｂに分割されており、初期状態では、第１表示領域１０ａにはレイアウト画像のみが表示され、第２表示領域にはパーソナルコンピュータ１０に登録されている無線機器及び有線機器のアイコンが表示されている。第２表示例では、無線機器及び有線機器の種類、識別コードなどは特定されているが、それらの位置は特定されておらず、表示画面上のレイアウト画像には無線機器や有線機器のアイコンは重ねて表示されておらず、第２表示領域１０ｂに一覧表示されている。これら無線機器及び有線機器のアイコンは、ユーザによるマウスやカーソルキーなどの操作に応じて、ドラッグアンドドロップにより、第１表示領域１０ａ上の任意の位置に移動させることができる。また、後述する無線機器接続支援プログラムによって、自動的に第１表示領域１０ａ上の任意の位置に移動させることができる。
【００４４】
図５は、無線通信装置１１と各無線機器２１〜２６との間で実際にテスト信号を送受信した結果に基づく無線機器の接続状態の第２表示例を示す。上記のように、無線通信装置１１と各無線機器２１〜２６の間でテスト信号の送受信を行うことによって、どの無線機器同士が、また、どの無線機器とどの有線機器が接続されているのかを知ることは可能である。そこで、第２段階として、実際に信号の送受信が行われた無線機器２１〜２５及び有線機器３１〜３３に対応するアイコンは、第１表示領域１０ａに表示されたレイアウト画像上において、レイアウトにおける実際の位置とは異なる位置に仮表示される。信号の送受信が行われなかった無線機器（例えば、被制御装置２６）のアイコンは第２表示領域１０ｂに取り残されるので、どの無線機器と通信できないかを一目瞭然で知ることができる。
【００４５】
なお、これらのアイコンは、ユーザによる操作に応じて、第１表示領域１０ａの任意の位置に移動させることができる。図６は、ユーザの操作によって、レイアウト上の正しい位置に対応するレイアウト画像上の位置にアイコンを移動させた無線機器の接続状態の第３表示例を示す。第１表示領域１０ａに表示された画像は、信号の送受信が行われなかった無線機器（例えば、被制御装置２６）のアイコンは第２表示領域１０ｂに取り残されている点を除いて、図３における画像と実質的に同じである。
【００４６】
図７は、信号の送受信が行われなかった無線機器（例えば、被制御装置２６）のアイコンをレイアウト画像上の本来の位置に移動させ、この被制御装置２６と信号の送受信を行うために新たな中継装置２７の設置場所を検討しているときの画面を示す。レイアウト画像上には、電波による無線通信の障害となる壁や柱などの障害物４０及び電磁波ノイズを発生している可能性がある装置４１などが表示されているので、信号の送受信が行われなかった無線機器（被制御装置２６）に対して、どのあたりに中継装置２７を設置すればよいかを容易に決定することができる。
【００４７】
図８は、上記無線機器接続状態表示装置１のブロック構成を示す。無線機器接続状態表示装置１は、例えばハードディスク装置などの不揮発性メモリで構成された記憶装置２と、ＣＰＵ、ＲＯＭ、ＲＡＭなどで構成された演算処理装置３と、上記無線通信装置１１と、表示画面を備えた液晶モニタ装置などの表示装置４で構成されている。この無線機器接続状態表示装置１は、これらの機能を一体的に備えた専用の装置であってもよいし、上記のように無線通信装置１１に接続された既存のパーソナルコンピュータ１０であってもよい。
【００４８】
記憶装置２は、ユーザによって入力された無線機器の設置場所のレイアウト情報を記憶するレイアウト情報記憶部２ａと、ユーザによって入力された１又は複数の無線機器に関する種類及び識別コードを含む無線機器情報を記憶する機器情報記憶部２ｂと、表示画面に表示されている画像を任意の時点で記憶するための機器接続状態記憶部２ｃとして機能する。
【００４９】
演算処理装置３は、レイアウト情報及び無線機器情報を用いて、表示装置４の表示画面上に無線機器の設置場所のレイアウト画像及びそのレイアウト画像上に１又は複数の無線機器のアイコンを表示する表示処理部３ａと、機器情報記憶部２ｂに記憶された識別コード情報と、後述する無線通信部１１ａにより実際に信号の送受信が行われた無線機器の識別コードとを比較し、実際に設置された１又は複数の無線機器の無線接続状態を判断する機器接続状態判断部３ｂと、機器接続状態判断部３ｂによる判断結果に応じて、無線通信部１１ａにより実際に信号の送受信が行われた無線機器の無線接続状態及び前記無線通信部により信号の送受信が行われなかった無線機器を、一覧表として前記表示処理部の表示画面上に表示するための表作成部３ｃとして機能する。
【００５０】
無線通信装置１１は、無線機器接続状態表示装置１の一部として、設置場所に実際に設置された１又は複数の無線機器との間で、電波による無線通信を介して信号の送受信を行う無線通信部１１ａとして機能する。また、表示装置４は、上記表示画面として機能し、第２表示例では、第１表示領域１０ａと第２表示領域１０ｂを有する。なお、表示装置４が、例えば表示画面上に、透明の入力装置を備えたいわゆるタッチパネルである場合、ユーザによって操作される入力装置としても機能する。
【００５１】
無線機器接続状態表示装置１では、無線通信装置１１と各無線機器２１〜２６との間で実際にテスト信号を送受信した結果に基づく無線機器の接続状態を把握しているので、表作成部３ｃは、実際に信号の送受信が行われた無線機器の無線接続状態及び信号の送受信が行われなかった無線機器を、図９に示すような一覧表５１として作成することができる。表示処理部３ａは、ユーザの操作に応じて、例えば図３又は図５に示すようなレイアウト画像及びそのレイアウト画像上に表示されたアイコンの画像５０と、一覧表５１を選択的に表示画面上に表示する。それによって、必要に応じた適切な情報を提供することができる。
【００５２】
次に、無線機器接続状態表示装置１の基本的動作、換言すれば、無線機器接続状態表示装置１にインストールされ実行される無線機器接続支援プログラムの基本について、図１０に示すフローチャートを参照しつつ説明する。この無線機器接続支援プログラムは、上記無線機器接続状態表示装置１にインストールされており、又は既存のパーソナルコンピュータ１０にインストールされ、実行されるものである。
【００５３】
この無線機器接続支援プログラムが起動されると、最初に、演算処理装置３（表示処理部３ａ）は、ユーザに無線機器の設置場所のレイアウト情報を入力させるための画像を表示装置４の表示画面上に表示させる（ステップ＃１）。ユーザは、表示装置４の表示画面上に表示されたメッセージを見ながら、スキャナを操作して見取り図を読み込み又は外部記憶装置やパーソナルコンピュータの内蔵記憶装置などからＣＡＤデータを読み込む。レイアウト情報が入力されると、演算処理装置３（データ転送部：図示せず）は、レイアウト情報を記憶装置２（レイアウト情報記憶部２ａ）に記憶させる（ステップ＃２）。
【００５４】
次に、演算処理装置３（表示処理部３ａ）は、ユーザに無線機器の設置場所に設置されている１又は複数の無線機器に関する位置、種類及び識別コードなどを含む無線機器情報及び必要に応じて有線機器情報を入力させるための画像を表示装置４の表示画面上に表示させる（ステップ＃３）。ユーザは、表示装置４の表示画面上に表示されたメッセージを見ながら、タッチパネルやキーボードなどを操作して、機器情報を入力する。機器情報が入力されると、演算処理装置３（データ転送部）は、機器情報を記憶装置２（機器情報記憶部２ｂ）に記憶させる（ステップ＃４）。
【００５５】
次に、演算処理装置３（表示処理部３ａ）は、記憶装置２に記憶されているレイアウト情報及び機器情報を用いて、表示画面上に無線機器の設置場所のレイアウト画像及び１又は複数の無線機器のアイコンを表示させる（ステップ＃５）。なお、そのレイアウト画像上に重ねて１又は複数の無線機器のアイコンを表示させた表示例が図２に示す第１表示例であり、レイアウト画像とは別に１又は複数の無線機器のアイコンを表示させた表示例が図４に示す第２表示例である。図３に示す第１表示例は、ステップ＃３において、機器情報を入力する際に位置情報が入力されている場合であって、表示画面上の正しい位置に無線機器及び有線機器のアイコンが表示されている。一方、図４に示す第２表示例は、ステップ＃３において、機器情報を入力する際に位置情報が入力されていない場合であって、後述するように、ユーザがタッチパネルやキーボードなどを操作することによって、各無線機器及び有線機器のアイコンをドラッグアンドドロップして表示画面上の正しい位置に移動させる。アイコンの移動は、移動距離及び方向が位置情報の入力に相当する。
【００５６】
次に、演算処理装置３（通信制御部：図示せず）は、無線通信装置１１（無線通信部１１ａ）に対して、無線機器の設置場所に設置されている１又は複数の無線機器に対して、電波による無線通信を介してテスト信号の送受信を行わせる（ステップ＃６）。ステップ６における接続状態確認のためのテスト信号の送受信に関しては、先に説明したので、ここではその説明を省略する。
【００５７】
テスト信号の送受信が完了すると、演算処理装置３（接続状態判断部３ｂ）は、記憶装置２（機器情報記憶部２ｂ）に記憶された識別コード情報と、無線通信装置１１（無線通信部１１ａ）により実際に信号の送受信が行われた無線機器の識別コードとを比較し、実際に設置された１又は複数の無線機器の無線接続状態を判断する（ステップ＃７）。
【００５８】
さらに、演算処理装置３（表示処理部３ａ）は、無線機器の無線接続状態の判断結果に応じて、表示画面上に表示された１又は複数の無線機器のアイコンのうち、無線通信部により実際に信号の送受信が行われた無線機器に対応するアイコン同士を、無線接続されていることを示す所定の第１状態で表示し、表示画面上に表示された１又は複数の無線機器のアイコンのうち、無線通信部により信号の送受信が行われなかった無線機器に対応するアイコンを、無線接続されていないことを示す所定の第２状態で表示する（ステップ＃８）。また、無線機器と有線接続されている有線機器は第３状態で表示する。第１状態、第２状態及び第３状態に関しては、先に説明したので、ここではその説明を省略する。なお、ステップ＃６におけるテスト信号の送受信及びステップ＃７における無線接続状態判断は、どの時点で行ってもよく、他のステップと平行して行ってもよい。
【００５９】
図５に示す無線機器の接続状態の第２表示例では、ユーザによるアイコンの移動に先立って、実際に信号の送受信が行われた無線機器に対応するアイコンを第１表示領域のレイアウト画像上に置ける実際の位置とは異なる位置に表示する。その後、図６に示すように、ユーザによる操作に応じて、ユーザによって選択されたいずれかのアイコンを第１表示領域の任意の位置（正しい位置）に移動させて表示する。この表示例によれば、各無線機器及び有線機器の位置情報を、アイコンのドラッグアンドドロップという簡単な方法で入力することができる。さらに、図７に示すように、無線通信部により信号の送受信が行われなかった無線機器に対応するアイコンを第２表示領域１０ｂから第１表示領域１０ａの任意の位置に移動させることができる。
【００６０】
図９に示すように、実際に信号の送受信が行われた無線機器の無線接続状態及び信号の送受信が行われなかった無線機器を一覧表として作成する場合は、さらに一覧表として作成するための表作成ステップ、及びユーザの操作に応じて、レイアウト画像及びそのレイアウト画像上に表示された１又は複数のアイコンと、一覧表を選択的に前記表示画面上に表示するステップを備えていてもよい。
【００６１】
なお、本発明は、上記実施形態の記載に限定されず、発明の範囲内において様々な変形が可能である。例えば、図１１に示すように、表示装置４の表示画面（第１表示領域１０ａ）に目盛り１０ｃを表示してもよい。また、表示画面に縮尺比１０ｄを表示してもよい。あるいは、表示画面上の任意の点を中心とする等間隔の同心円１０ｅを表示してもよい。それによって、レイアウト画像上での無線機器間のおおよその距離を容易に把握することができ、無線機器の送信可能距離などを考慮に入れて、より適切な機器配置を実現することができる。
【００６２】
さらに、各無線機器は、複数のチャンネルで信号の送受信が可能であってもよい。その場合、複数のチャンネルごとの電波強度を測定し、測定したチャンネルごとの電波強度の値を無線通信装置１１に送信し、表作成部３ｃにおいて、図１３に示すように、実際に信号の送受信が行われた無線機器ごとに、複数のチャンネルの電波強度を示すグラフ５２を作成してもよい。その場合、ユーザの操作に応じて、レイアウト画像及びそのレイアウト画像上に表示されたアイコンの画像５０と、前述の一覧表５１及びそのグラフ５２を選択的に表示画面上に表示可能とすることが好ましい。それによって、無線環境、特に電磁波ノイズなどを考慮して、信号の送受信に際して、最適なチャンネルを選択することができる。
【符号の説明】
【００６３】
１  無線機器接続状態表示装置
２  記憶装置
２ａ  レイアウト情報記憶部
２ｂ  機器情報記憶部
２ｃ  機器接続状態記憶部
３  演算処理装置
３ａ  表示処理部
３ｂ  接続状態判断部
３ｃ  表作成部
４  表示装置
１０  パーソナルコンピュータ
１０ａ  第１表示領域
１０ｂ  第２表示領域
１０ｃ  目盛り
１０ｄ  縮尺比
１０ｅ  同心円
１１  無線通信装置
１１ａ  無線通信部
２１，２２  中継装置（無線機器）
２３，２４，２７  無線通信装置（無線機器）
２５，２６  被制御装置
３１〜３３  有線機器
４０  障害物
５０  レイアウト画像及びそのレイアウト画像上に表示されたアイコンの画像
５１  信号の送受信が行われた無線機器と信号の送受信が行われなかった無線機器を示す一覧表
５２  無線機器ごとの複数のチャンネルの電波強度を示すグラフ
【図１】
2011114415.tif 000003
【図２】
2011114415.tif 000004
【図３】
2011114415.tif 000005
【図４】
2011114415.tif 000006
【図５】
2011114415.tif 000007
【図６】
2011114415.tif 000008
【図７】
2011114415.tif 000009
【図８】
2011114415.tif 000010
【図９】
2011114415.tif 000011
【図１０】
2011114415.tif 000012
【図１１】
2011114415.tif 000013
【図１２】
2011114415.tif 000014
【図１３】
2011114415.tif 000015